(57)【要約】  本開示は、送信機及び対応する方法を提供する。方法は、複数のサブバンドにわたる送信される信号を前処理するステップと、ユニバーサルフィルタ直交周波数分割多重（ＵＦ−ＯＦＤＭ）信号を生成するように信号をフィルタリングするステップであって、複数のサブバンドのうちの２以上のサブバンドが共通フィルタによってフィルタリングされる、ステップと、生成されたＵＦ−ＯＦＤＭ信号を送信するステップとを含む。【選択図】  図３
2019523602.tif 000002
【特許請求の範囲】
【請求項１】
通信方法であって、
複数のサブバンドにわたる送信される信号を前処理するステップと、
ユニバーサルフィルタ直交周波数分割多重（ＵＦ−ＯＦＤＭ）信号を生成するように前記信号をフィルタリングするステップであって、前記複数のサブバンドの２以上が共通フィルタによってフィルタリングされる、ステップと、
生成された前記ＵＦ−ＯＦＤＭ信号を送信するステップと
を備える方法。
【請求項２】
前記フィルタリングするステップは、
前記複数のサブバンドにおいて連続するサブバンドの帯域幅を特定するステップ、及び
前記特定された帯域幅に基づいて、所定のルックアップテーブルを参照することによって前記連続するサブバンドをフィルタリングするフィルタ係数を特定するステップであって、前記ルックアップテーブルはサブバンドの帯域幅とそれぞれのフィルタ係数との相関関係を記憶する、ステップを備える、請求項１に記載の方法。
【請求項３】
前記複数のサブバンドは同一の帯域幅を有し、
前記連続するサブバンドの帯域幅を特定するステップは前記連続するサブバンドの数を特定するステップを備える、請求項２に記載の方法。
【請求項４】
前記前処理するステップは、
周波数領域信号を予等化するステップ、及び
前記送信される信号を取得するように前記周波数領域信号を周波数−時間変換によって時間領域に変換するステップを備える、請求項１に記載の方法。
【請求項５】
前記予等化するステップは、
前記フィルタリングするステップについてのフィルタ係数を特定するステップ、及び
前記複数のサブバンドの帯域幅及び前記フィルタ係数に基づいて、前記予等化するステップについてのパラメータを特定するステップを備える、請求項４に記載の方法。
【請求項６】
前記フィルタリングするステップは、
第１のフィルタを用いて前記複数のサブバンドにおける連続するサブバンドの第１のグループをフィルタリングするステップ、及び
第２のフィルタを用いて前記複数のサブバンドにおける連続するサブバンドの第２のグループをフィルタリングするステップであって、連続するサブバンドの前記第１及び第２のグループは相互に不連続であり、前記第１のフィルタは前記第２のフィルタと異なる、ステップを備える、請求項１に記載の方法。
【請求項７】
前記フィルタリングするステップは、有限インパルス応答フィルタを用いて前記信号をフィルタリングするステップを備える、請求項１に記載の方法。
【請求項８】
送信機であって、
コントローラと、
前記コントローラに連結されたメモリと
を備え、前記コントローラは、前記メモリと共に、
複数のサブバンドにわたる送信される信号を前処理し、
前記送信機による送信のためにユニバーサルフィルタ直交周波数分割多重（ＵＦ−ＯＦＤＭ）信号を生成するように前記信号をフィルタリングするように構成され、前記複数のサブバンドのうちの２以上が共通フィルタによってフィルタリングされる
送信機。
【請求項９】
前記コントローラは、
前記複数のサブバンドにおいて連続するサブバンドの帯域幅を特定し、
前記特定された帯域幅に基づいて、所定のルックアップテーブルを参照することによって前記連続するサブバンドをフィルタリングするフィルタ係数を特定するようにさらに構成され、前記ルックアップテーブルはサブバンドの帯域幅とそれぞれのフィルタ係数との相関関係を記憶する、請求項８に記載の送信機。
【請求項１０】
前記複数のサブバンドの各々は同一の帯域幅を有し、前記コントローラは、
前記連続するサブバンドの数を特定することによって前記連続するサブバンドの前記帯域幅を特定するようにさらに構成された、請求項９に記載の送信機。
【請求項１１】
前記コントローラは、
周波数領域信号を予等化し、
前記送信される信号を取得するように前記周波数領域信号を周波数−時間変換によって時間領域に変換するようにさらに構成された、請求項８に記載の送信機。
【請求項１２】
前記コントローラは、
前記フィルタリングするステップについてのフィルタ係数を特定し、
前記複数のサブバンドの帯域幅及び前記フィルタ係数に基づいて、前記予等化するステップについてのパラメータを特定するようにさらに構成された、請求項１１に記載の送信機。
【請求項１３】
前記コントローラは、
第１のフィルタを用いて前記複数のサブバンドにおける連続するサブバンドの第１のグループをフィルタリングし、
第２のフィルタを用いて前記複数のサブバンドにおける連続するサブバンドの第２のグループをフィルタリングするようにさらに構成され、連続するサブバンドの前記第１及び第２のグループは相互に不連続であり、前記第１のフィルタは前記第２のフィルタと異なる、請求項８に記載の送信機。
【請求項１４】
前記コントローラは、有限インパルス応答フィルタを用いて前記信号をフィルタリングするように構成された、請求項８に記載の送信機。
【請求項１５】
送信機であって、
演算モジュールを備え、
前記演算モジュールは、
送信される信号を前処理するように構成された前処理モジュールであって、前記信号が複数のサブバンドにわたる、前処理モジュール、及び
送信のためのユニバーサルフィルタ直交周波数分割多重（ＵＦ−ＯＦＤＭ）信号を生成するように前記信号をフィルタリングするように構成されたフィルタリングモジュールであって、前記複数のサブバンドの２以上が共通フィルタによってフィルタリングされる、フィルタリングモジュールを備える、送信機。
【発明の詳細な説明】
【技術分野】
【０００１】
本開示の実施形態は、概略として通信分野に関し、より具体的にはユニバーサルフィルタ直交周波数分割多重（ＵＦ−ＯＦＤＭ）信号を処理する方法及び装置に関する。
【背景技術】
【０００２】
ユニバーサルフィルタ直交周波数分割多重（ＵＦ−ＯＦＤＭ）は、ユニバーサルフィルタマルチキャリア（ＵＦＭＣ）としても知られ、ＯＦＤＭベースの５Ｇ通信システムにおいて有望な技術である。ＵＦ−ＯＦＤＭ送信機では、通常、信号をフィルタリングすることが要求される。そのため、サブキャリアグループをフィルタリングするのにサブバンド有限インパルス応答（ＦＩＲ）フィルタが採用される。各サブバンドの波形は独立して合成されるため、周波数−時間変換及びフィルタリング動作の数は、ＵＦ−ＯＦＤＭ信号処理効率に影響を与える主な要因であるサブバンドの数と等しくなる必要がある。
【発明の概要】
【０００３】
第１の態様によれば、通信方法が提供される。方法は、複数のサブバンドにわたる送信される信号を前処理するステップと、ユニバーサルフィルタ直交周波数分割多重（ＵＦ−ＯＦＤＭ）信号を生成するように信号をフィルタリングするステップであって、複数のサブバンドのうちの２以上のサブバンドが共通フィルタによってフィルタリングされるステップと、生成されたＵＦ−ＯＦＤＭ信号を送信するステップとを含む。
【０００４】
ある実施形態では、方法は、複数のサブバンドにおいて連続するサブバンドの帯域幅を特定するステップと、特定された帯域幅に基づいて所定のルックアップテーブルを参照することによって連続するサブバンドをフィルタリングするフィルタ係数を特定するステップとをさらに含み、ルックアップテーブルは、サブバンドの帯域幅とそれぞれのフィルタ係数との相関関係を記憶する。
【０００５】
ある実施形態では、複数のサブバンドの各々は同一の帯域幅を有し、連続するサブバンドの帯域幅を特定するステップは、連続するサブバンドにおけるサブバンドの数を特定するステップを含む。
【０００６】
ある実施形態では、前処理するステップは、周波数領域信号を予等化するステップ及び送信される信号を取得するように周波数領域信号を周波数−時間変換によって時間領域に変換するステップを含む。
【０００７】
ある実施形態では、予等化するステップは、フィルタリングするフィルタ係数を特定するステップ並びに複数のサブバンドの帯域幅及びフィルタ係数に基づいて予等化するパラメータを特定するステップを備える。
【０００８】
ある実施形態では、フィルタリングするステップは、第１のフィルタを用いて複数のサブバンドにおける連続するサブバンドの第１のグループをフィルタリングするステップ及び第２のフィルタを用いて複数のサブバンドにおける連続するサブバンドの第２のグループをフィルタリングするステップを含み、連続するサブバンドの第１及び第２のグループは相互に不連続であり、第１のフィルタは第２のフィルタと異なる。
【０００９】
ある実施形態では、フィルタリングするステップは、有限インパルス応答フィルタを用いて信号をフィルタリングするステップを備える。
【００１０】
本開示の第２の態様によれば、送信機が提供される。送信機は、コントローラ及びコントローラに連結されたメモリを含み、コントローラは、メモリと共に、送信される信号を前処理し、信号は複数のサブバンドにわたり、送信機によって送信するためのユニバーサルフィルタ直交周波数分割多重（ＵＦ−ＯＦＤＭ）信号を生成するように信号をフィルタリングし、複数のサブバンドのうちの２以上のサブバンドが共通フィルタによってフィルタリングされるように構成される。
【００１１】
本開示の第３の態様によれば、送信機が提供される。送信機は、送信される信号を前処理するように構成された前処理モジュールであって、信号は複数のサブバンドにわたる、前処理モジュールと、送信するためのユニバーサルフィルタ直交周波数分割多重（ＵＦ−ＯＦＤＭ）信号を生成するように信号をフィルタリングするように構成されたフィルタリングモジュールであって、複数のサブバンドのうちの２以上のサブバンドが共通フィルタによってフィルタリングされる、フィルタリングモジュールとを含む演算モジュールを備える。
【００１２】
発明の概要は、単純化された方法においてコンセプトの選択を導入するように提供され、以降の実施形態の詳細な説明においてさらに説明される。発明の概要は、本開示の重要若しくは不可欠な特徴を識別すること又は本開示の範囲を限定することを目的としていない。
【００１３】
添付の図面を参照した本開示の例示的な実施形態のより詳細な説明を通して、本開示の上記及び他の目的、特徴及び効果がより明らかとなり、本開示の例示的な実施形態において同一の符号は、通常、同一の構成要素を表す。
【図面の簡単な説明】
【００１４】
【図１】図１は、従来の解決手段におけるＵＦ−ＯＦＤＭ送信機の例示のブロック図を示す。
【図２】図２は、本開示の実施形態によるＵＦ−ＯＦＤＭ信号を処理する例示の手順２００の概略図を示す。
【図３】図３は、本開示の実施形態によるＵＦ−ＯＦＤＭ信号を処理する方法又は手順３００の例示のフローチャートを示す。
【図４】図４は、本開示の一実施形態によるＵＦ−ＯＦＤＭ信号を処理する例示の手順４００の概略図を示す。
【図５】図５は、本開示の実施形態を実現する装置５００の簡略化したブロック図を示す。
【図６】図６は、本開示の実施形態を実現する送信機６００の例示の図を示す。
【発明を実施するための形態】
【００１５】
本開示の例示的な実施形態は、図面を参照してより詳細に説明される。本開示の例示的な実施形態は図面によって示されるが、本開示は種々の方式において実施されてもよく、ここに説明される実施形態に限定されるべきではないことが理解されるべきである。それとは反対に、実施形態は、本開示をより徹底的及び完全にし、本開示の範囲を当業者に十分に伝達するように提供される。
【００１６】
ここで使用されるように、用語「含む」及びその変形は、「含むが、それに限定されない」ことを意味するオープンエンドの用語として読まれるべきである。文脈上明示されない限り、用語「又は（若しくは）」は、「及び／又は」として読まれるべきである。用語「基づく」は、「少なくともある程度基づく」として読まれるべきである。用語「例示の一実施形態」及び「一実施形態」は、「少なくとも１つの例示の実施形態」として読まれるべきである。用語「更なる実施形態」は、「少なくとも１つの更なる実施形態」として読まれるべきである。用語「第１」及び「第２」などは、同じ又は異なる対象を示すことがある。以下の文章は、他の明示的及び暗黙的な定義を備え得る。
【００１７】
上述のように、ＵＦ−ＯＦＤＭ信号が送信される場合、サブバンドと同じ数の時間−周波数変換及びフィルタ動作の数が必要とされる。図１に示すように、旧来的に、フィルタリングを実施するのにサブバンドの数と同じ数のフィルタが採用される。具体的には、図１に示すＵＦ−ＯＦＤＭシステム１００は、１１０１から１１０ｋのＫ個のサブバンドを含み、ｋは１より大きい自然数であり、各サブバンドは例えばＱ個のサブキャリアを含み得る。
【００１８】
１１０１から１１０ｋの各サブバンド信号の処理は、複数の段階に分割され得る。信号は、１２０１から１２０ｋの予等化段階で予等化される。その後、予等化された信号は、１３０１から１３０ｋの周波数−時間変換段階で周波数領域から時間領域に変換される。旧来的な解決手段では、時間−周波数変換された各サブバンド信号は、そのそれぞれのサブバンドフィルタ１４０１・・・１４０ｋによってフィルタリングされ、それぞれのサブバンドフィルタは、シフト周波数の長さがＬとなるプロトタイプフィルタである。時間領域における出力信号１５０（ｘとする）は、
【数１】
2019523602.tif 000003
として表すことができ、ここで、ｓｋ∈ＣＱ×１はｋ番目のサブバンド上で送信される搬送情報信号を表すＱ×１行列を表し、Ｐｋ∈ＣＱ×ＱはＱ×Ｑ予等化対角行列を表し、Ｖｋ∈Ｎ×Ｑはｋ番目のサブバンドのサブキャリア周波数に対応する列のみを含むＮ×Ｑ行列のＮ点逆離散フーリエ変換行列の部分行列を表し、Ｆｋ∈Ｃ（Ｎ＋Ｌ−１）×ＮはＦＩＲフィルタ係数応答で構成されるテプリッツ行列を表す（Ｎ＋Ｌ−１）×Ｎ行列を表す。
【００１９】
しかしながら、上記の解決手段によれば、データが複数のサブバンドにわたって送信される場合、別個のサブバンドフィルタを有する各サブバンドによって上記の実施は複雑になる。上記及び他の潜在的な問題及び欠点を少なくとも部分的に解決するために、本開示は、送信機の複雑性を軽減し、ＵＦ−ＯＦＤＭシステムに利用可能な方法を提供する。
【００２０】
図２に、本開示の実施形態によるＵＦ−ＯＦＤＭ信号を処理する例示的な手順２００の概略図を示す。図２の各ブロックは、処理の各段階又はステップとみなされてもよく、例えば送信機におけるモジュール又は構成要素として実施されてもよい。
【００２１】
本開示の実施形態によれば、複数のサブバンドにわたって送信される信号について、信号の２以上のサブバンドが同一のフィルタでフィルタリングされ、それによってＵＦ−ＯＦＤＭ信号の処理の性能と効率が大幅に改善され、処理コストが軽減される。例えば、図２に示す例において、信号２１０は、連続するサブバンド２１０１・・・２１０ｎにわたる信号である。本開示の文脈において技術用語「サブバンド」および「サブバンド信号」は、入れ替えられてもよいことが理解される。
【００２２】
これらのサブバンドが（後述する）所定の条件を満たす場合、それらは全体として時間領域信号２５０を出力するようにフィルタリングされてもよく、図１とは対照的となる。選択的に、前処理２２０の上記手順（例えば予等化及び周波数−時間変換）は、全体的に完了され得る。すなわち、手順は、信号２１０によって占有される各サブバンド２１０１・・・２１０ｎを予等化し、周波数−時間変換し、バンドパスフィルタリングする（２４０）従来の解決手段とは異なる。
【００２３】
以下の説明から、本開示の実施形態は、全ての帯域において１つのみのフィルタを使用することを必要としないことが理解されるべきである。例えば、送信される信号２１０におけるサブバンド２１０１・・・２１０ｍは複数のグループを含み、各グループにおけるサブバンドは連続的であるがグループ間には不連続性が存在する。このとき、特定のフィルタが、各グループに採用される。このようにして、従来の解決手段と比較して、送信機の性能は、大幅に改善され得る。この態様における例示的な実施例も後述される。
【００２４】
図３は、本開示の実施形態によるＵＦ−ＯＦＤＭ信号の処理の方法又は手順３００の例示的なフローチャートである。方法３００は送信機によって実施可能であり、送信機の例は図５及び図６を参照して以下に示され得る。
【００２５】
ブロック３０２において、送信される信号は前処理され、信号は複数のサブバンドにわたることがある。ある実施形態では、ブロック３０２における前処理するステップは、送信される周波数領域信号を予等化するステップ及び周波数領域信号を時間領域に周波数−時間変換によって変換するステップを含み得るが、これに限定されない。図３におけるブロック３０２における処理は、図２における前処理段階２２０における処理であることが理解されるべきである。ある実施形態では、前処理するステップは予等化する処理を含むことができ、予等化のパラメータは特定された帯域幅及び特定されたフィルタリングするためのフィルタに基づいて特定される。これについては、図４を参照して以下の記載でさらに説明する。
【００２６】
ブロック３０４において、ＵＦ−ＯＦＤＭ信号は信号をフィルタリングすることによって生成され、複数のサブバンドのうちの２以上のサブバンドが共通フィルタによってフィルタリングされる。ここでの動作は、図２のフィルタリングする段階２４０において実現され得る。ある実施形態では、フィルタリングするステップは、複数のサブバンドにおいて連続するサブバンドの帯域幅を特定するステップ及び特定された帯域幅に基づいて所定のルックアップテーブルを参照することにより連続するサブバンドをフィルタリングするフィルタ係数を特定するステップを含み得るが、これに限定されず、ここでルックアップテーブルは、複数のサブバンドの帯域幅とそれぞれのフィルタ係数との間の相関関係を記憶する。
【００２７】
ブロック３０６において、生成されたＵＦ−ＯＦＤＭ信号が、送信され得る。ある実施形態では、生成されたＵＦ−ＯＦＤＭ信号は、送信機におけるＲＦ回路／モジュールに送信される。
【００２８】
図３に示す手順３００によれば、複雑性は、送信される信号によって占有されるサブバンドの数とは無関係である。このようにして、従来のＵＦ−ＯＦＤＭと比較して、大量の計算リソースをセーブし得る。
【００２９】
図４に、本開示の実施形態によるＵＦ−ＯＦＤＭ信号を処理する例示的な手順４００の概略図を示す。図４の各ブロックは、処理の各段階又はステップとみなされてもよいし、例えば送信機におけるモジュール又は構成要素として実施されてもよい。図３におけるフローチャートを参照し、図４に示される例示の実施例との組合せにおいて説明する。図４の手順４００は、本発明の例示の実施例の手順を示すものにすぎないことが理解されるべきである。図４における予等化４２０及び周波数−時間変換４３０は、図２における前処理２２０の可能な実施例にすぎない。同様に、プロトタイプフィルタＬＵＴ４６０を参照するステップも、本開示の例示の実施例の手順となり得る。したがって、当業者であれば、図４に示されていない幾つかの可能な実施例があることを理解することができる。
【００３０】
上述のように、複数の連続するサブバンドにわたる信号である信号４１０は、前処理され得る（図３、ブロック３０２）。ある実施形態では、前処理するステップは２段階、すなわち予等化４２０及び周波数−時間変換４３０を少なくとも含み得る。具体的には、現在存在している又は開発され得る任意の手段が、４２０において信号を予等化するのに採用され得る。その後、４３０において、予等化された信号は、周波数領域信号から時間領域信号に変換され得る。ある実施形態では、適用される時間−周波数変換方法は、逆高速フーリエ変換（ＩＦＦＴ）又は他の時間−周波数変換方法であってもよい。
【００３１】
特にある実施形態では、信号４１０をフィルタリング４４０するフィルタ、より具体的にはフィルタ係数が、特定され得る。そして予等化４２０のパラメータは、連続するサブバンドの数及び特定されたフィルタ係数に基づいて特定され得る。このようにして、予等化及びフィルタリングを協調させてより十分に整合させるために、「フィードバックループ」をそれらの間に形成してもよい。
【００３２】
次に、前処理された信号４１０は、ＵＦ−ＯＦＤＭ信号を生成するようにフィルタリング４４０される（図３、ブロック３０４）。ある実施形態では、信号４１０における連続するサブバンドの帯域幅は、ステップ４４０において特定され得る。その後、信号４１０における連続するサブバンドをフィルタリングするフィルタ係数が、信号４１０の特定された帯域幅に基づいて所定のルックアップテーブル４６０を参照することにより特定されてもよく、ルックアップテーブル４６０は複数のサブバンドの帯域幅とそれぞれのフィルタ係数との間の相関関係を記憶する。ある実施形態では、信号４１０における連続するサブバンドの帯域幅を特定するステップは、連続するサブバンドの数４７０（Ｋ４７０）を特定するステップを含み得る。ある実施形態では、ルックアップテーブル４６０に記憶されたプロトタイプサブバンドフィルタは有限インパルス応答フィルタ（ＦＩＲ）となる。他の適切な種類のフィルタも利用可能であることを理解されるべきである。ルックアップテーブル４６０の例を以下に示す。
【表１】
2019523602.tif 000004
【００３３】
信号４１０の特定された帯域幅及び信号４１０における連続するサブバンドの数４７０（Ｋ４７０）に基づいて、信号４１０と同じ帯域幅を有するプロトタイプサブバンドフィルタがルックアップテーブル４６０において参照されてもよく、信号４１０と同じ帯域幅を有するプロトタイプサブバンドフィルタについてのフィルタ係数が特定されてもよい。利用されるフィルタ係数は、信号４１０と同じ帯域幅を有するプロトタイプサブバンドフィルタについてのフィルタ係数と同一となる。時間領域における出力信号４５０（Ｓ４５０として表される）は、
Ｓ４５０＝ＦＶＰＳ４１０
として表されてもよく、ここでＳ４１０はＫ個全部のサブバンド上に送信される搬送情報信号を表すＫＱ×１行列を表し、Ｑはサブバンドごとのサブキャリアの数を示し、ＰはＫＱ×ＫＱの予等化対角行列を表し、ＶはＮ×ＫＱ行列であるＮ点逆離散フーリエ変換行列の部分行列を表し、部分行列ＶはＫ個全てのサブバンドのサブキャリア周波数に対応する列を含み得る。
【００３４】
この例において、ＵＦ−ＯＦＤＭシステムにおける周波数−時間変換の数及びフィルタリングの回数はサブバンドの数に等しいため、連続するサブバンドの数は４７０（Ｋ４７０）となり、サブバンドごとのサブキャリアの数Ｑの送信される信号は１に等しいサブバンドの数Ｋ４７０１と扱われてもよく、サブバンド信号のサブキャリアの数はＫ４７０×Ｑと等しいＱ１となり得る。送信される信号のサブバンド数は１とみなすことができるため、周波数−時間変換の数及びフィルタリングの回数の双方が１となり得る。さらに、上述のように、本開示の実施形態では有限インパルス応答フィルタを利用してもよく、その例にはチェビシェフフィルタが含まれるがこれに限定されない。もちろん、他の適切な種類のフィルタも、ここで使用することができる。
【００３５】
ある実施形態では、送信される信号によって占有される複数のサブバンドは、完全に連続的でないこともある。このとき、３０４において各グループの連続するサブバンドに対して専用のフィルタを採用してもよい。信号の複数のサブバンド２１０１・・・２１０ｍがサブバンドの第１のグループ及びサブバンドの第２のグループを含むと仮定すると、サブバンドの第１のグループ及びサブバンドの第２のグループはそれぞれ連続しているが、サブバンドの第１のグループ及びサブバンドの第２のグループは相互に連続しない。この点において、３０４において、サブバンドの第１のグループは第１のフィルタによってフィルタリングされ、サブバンドの第２のグループは第２のフィルタによってフィルタリングされ、ここで第１のフィルタは第２のフィルタと異なっている。
【００３６】
図５に、本開示の実施形態を実現するのに適した装置５００の簡略化したブロック図を示す。装置５００は、基地局（ＢＳ）及びユーザ機器（ＵＥ）においても実施することが理解されるべきである。図示のように、装置モジュール５００は、演算モジュール５８０を含み得る。ある実施形態では、演算モジュール５８０はまた、コンスタレーションマッピングモジュール（不図示）、サブバンド信号生成部（不図示）及びＲＦモジュール（不図示）に接続されてもよい。
【００３７】
演算モジュール５８０は、前処理モジュール５２０及びフィルタリングモジュール５４０を含み得る。前処理モジュール５２０は送信される信号を前処理するように構成されてもよく、ここで信号は複数のサブバンドにわたる。フィルタリングモジュール５４０は、送信するためのＵＦ−ＯＦＤＭ信号を生成するように信号をフィルタリングするように構成されてもよく、ここで複数のサブバンドのうちの２以上のサブバンドが、共通のフィルタによってフィルタリングされる。
【００３８】
ある実施形態では、フィルタリングモジュール５４０はまた、複数のサブバンドにおいて連続するサブバンドの帯域幅を特定し、特定された帯域幅に基づいて所定のルックアップテーブルを参照することにより連続するサブバンドをフィルタリングするフィルタ係数を特定するようにも構成されてもよく、ここでルックアップテーブルは、複数のサブバンドの帯域幅とそれぞれのフィルタ係数との間の相関関係を記憶する。ある実施形態では、ルックアップテーブルは、演算モジュール５８０と通信可能に接続された記憶モジュール５６０に記憶され得る。ルックアップテーブルはまた、他の適切な場所にも記憶され得る。
【００３９】
図６は、本発明の実施形態を実現するのに適した送信機６００の簡略化したブロック図である。送信機６００は、基地局（ＢＳ）などのネットワークデバイス及び／又は端末デバイス例えばユーザ機器（ＵＥ）に含まれ得ることが理解される。
【００４０】
図６によれば、送信機６００は、コントローラ６８０及びコントローラ６８０に接続されたメモリ６６０を含み得る。送信機６００はまた、ＲＦ回路（不図示）などの他の要素も含み得ることも理解されるべきである。コントローラ６８０は、メモリ６６０の構成下において、図２から図４を参照して説明した上記手順及び方法を実行し得る。ある実施形態では、コントローラ６８０はまた、サブバンド信号を生成するなどの動作も実行し得る。コントローラ６８０は、フィールドプログラマブルゲードアレイ（ＦＰＧＡ）、デジタル信号プロセッサ（ＤＳＰ）、及び本開示の実施形態を実施可能な要素のその他の１以上の組合せとなり得る。
【００４１】
ルックアップテーブルを採用する実施形態においては、ルックアップテーブルは、メモリ６６０に記憶され得る。ある実施形態では、メモリ６６０は、コントローラ６８０に外部的に接続された記憶要素となり得る。ある実施形態では、メモリ６６０は、コントローラ６８０内部の記憶要素であってもよい。メモリ６６０は、ランダムアクセスメモリ（ＲＡＭ）、読み出し専用メモリ（ＲＯＭ）、又は他の適切な種類のメモリの１以上の組合せであってもよい。
【００４２】
図面のフローチャート及びブロック図は、本開示の実施形態によるシステム及び方法によって実施される可能なシステムアーキテクチャ、機能及び動作を示す。この点において、フローチャート又はブロック図における各ブロックは、１つのモジュール、プログラムセグメント又は命令の一部を表し得るものであり、モジュール、プログラムセグメント、命令の一部は既定の論理機能を実現するために１以上の実行可能な命令を含む。代替的な実施例においては、ブロックで示される機能はまた、図面に示されるものと異なる順番で行われ得る。例えば、実際には２つの連続するブロックを基本的に並行に実行することもでき、関与する機能に応じて逆の順序で実行され得る。ブロック図及び／又はフローチャートにおける各ブロック並びにブロック図及び／又はフローチャートにおけるブロックの組合せは、既定の機能若しくは動作を実行する専用のハードウェアベースのシステム、又は専用のハードウェア及びコンピュータ命令の組合せによって実施され得る。
【００４３】
本開示の種々の実施形態が上記に説明されており、その説明は例示的及び非網羅的であり、開示された実施形態に限定されるべきではない。説明された実施形態の範囲及び要旨から逸脱することなく、多くの変更及び変形が、当業者には明らかとなる。本文中の専門用語の選択は、原理、各実施形態の実際的な適用及び市場における技術に対するそれらの技術的貢献を最もよく説明すること、又は他の当業者が本文中に開示された種々の実施形態を理解可能とすることを目的とする。
【図１】
2019523602.tif 000005
【図２】
2019523602.tif 000006
【図３】
2019523602.tif 000007
【図４】
2019523602.tif 000008
【図５】
2019523602.tif 000009
【図６】
2019523602.tif 000010
【国際調査報告】
2019523602.tif 000011
2019523602.tif 000012
2019523602.tif 000013
2019523602.tif 000014